【手続補正書】
【提出日】平成19年4月23日(2007.4.23)
【手続補正１】
【補正対象書類名】特許請求の範囲
【補正対象項目名】請求項１
【補正方法】変更
【補正の内容】
【請求項１】
ホストコンピュータと画像処理装置とを有する画像処理システムにおいて、
前記ホストコンピュータは、
予め定めた複数の解像度情報から１つの解像度情報を入力するための入力手段を備え、
前記画像処理装置は、
特色を含まない色変換を行うための第１色変換モードと、特色を含む色変換を行うための第２色変換モードのうちの、前記入力手段により入力された解像度情報に基づいて色変換モードを設定する設定手段と、
該設定手段により設定された色変換モードに対応する色変換テーブルを用いて、前記ホストコンピュータからの画像データに対して色変換処理を行う色変換処理手段と
を備えたことを特徴とする画像処理システム。
【手続補正２】
【補正対象書類名】特許請求の範囲
【補正対象項目名】請求項２
【補正方法】変更
【補正の内容】
【請求項２】
ホストコンピュータと画像処理装置とを有する画像処理システムにおいて、
前記ホストコンピュータは、
予め定めた複数の階調情報から１つの階調情報を入力するための入力手段を備え、
前記画像処理装置は、
特色を含まない色変換を行うための第１色変換モードと、特色を含む色変換を行うための第２色変換モードのうちの、前記入力手段により入力された階調情報に基づいて色変換モードを設定する設定手段と、
該設定手段により設定された色変換モードに対応する色変換テーブルを用いて、前記ホストコンピュータからの画像データに対して色変換処理を行う色変換処理手段と
を備えたことを特徴とする画像処理システム。
【手続補正３】
【補正対象書類名】特許請求の範囲
【補正対象項目名】請求項３
【補正方法】変更
【補正の内容】
【請求項３】
ホストコンピュータと画像処理装置とを有する画像処理システムにおいて、
前記ホストコンピュータは、
予め定めた複数の解像度情報から１つの解像度情報を入力し、予め定めた複数の階調情報から１つの階調情報を入力するための入力手段を備え、
前記画像処理装置は、
特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定手段と、
該設定手段により設定された色変換モードに対応する色変換テーブルを用いて、前記ホストコンピュータからの画像データに対して色変換処理を行う色変換処理手段と
を備えたことを特徴とする画像処理システム。
【手続補正４】
【補正対象書類名】特許請求の範囲
【補正対象項目名】請求項４
【補正方法】変更
【補正の内容】
【請求項４】
予め定めた複数の解像度情報から１つの解像度情報を入力し、画像データを入力するための入力手段と、
特色を含まない色変換を行うための第１色変換モードと、特色を含む色変換を行うための第２色変換モードのうちの、前記入力手段により入力された解像度情報に基づいて色変換モードを設定する設定手段と、
該設定手段により設定された色変換モードに対応する色変換テーブルを用いて、前記入力手段により入力された画像データに対して色変換処理を行う色変換処理手段と
を備えたことを特徴とする画像処理装置。
【手続補正５】
【補正対象書類名】特許請求の範囲
【補正対象項目名】請求項５
【補正方法】変更
【補正の内容】
【請求項５】
予め定めた複数の階調情報から１つの階調情報を入力し、画像データを入力するための入力手段と、
特色を含まない色変換を行うための第１色変換モードと、特色を含む色変換を行うための第２色変換モードのうちの、前記入力手段により入力された階調情報に基づいて色変換モードを設定する設定手段と、
該設定手段により設定された色変換モードに対応する色変換テーブルを用いて、前記入力手段により入力された画像データに対して色変換処理を行う色変換処理手段と
を備えたことを特徴とする画像処理装置。
【手続補正６】
【補正対象書類名】特許請求の範囲
【補正対象項目名】請求項６
【補正方法】変更
【補正の内容】
【請求項６】
予め定めた複数の解像度情報から１つの解像度情報を入力し、予め定めた複数の階調情報から１つの階調情報を入力し、画像データを入力するための入力手段と、
特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定手段と、
該設定手段により設定された色変換モードに対応する色変換テーブルを用いて、前記入力手段により入力された画像データに対して色変換処理を行う色変換処理手段と
を備えたことを特徴とする画像処理装置。
【手続補正７】
【補正対象書類名】特許請求の範囲
【補正対象項目名】請求項７
【補正方法】変更
【補正の内容】
【請求項７】
予め定めた複数の解像度情報から１つの解像度情報を入力し、画像データを入力するための入力手段により解像度情報が入力されたとき、特色を含まない色変換を行うための第１色変換モードと、特色を含む色変換を行うための第２色変換モードのうちの、前記入力手段により入力された解像度情報に基づいて色変換モードを設定する設定ステップと、
設定された色変換モードに対応する色変換テーブルを用いて、前記入力手段により入力された画像データに対して色変換処理を行う色変換処理ステップと
を備えたことを特徴とする画像処理方法。
【手続補正８】
【補正対象書類名】特許請求の範囲
【補正対象項目名】請求項８
【補正方法】変更
【補正の内容】
【請求項８】
予め定めた複数の階調情報から１つの階調情報を入力し、画像データを入力するための入力手段により階調情報が入力されたとき、特色を含まない色変換を行うための第１色変換モードと、特色を含む色変換を行うための第２色変換モードのうちの、前記入力手段により入力された階調情報に基づいて色変換モードを設定する設定ステップと、
設定された色変換モードに対応する色変換テーブルを用いて、前記入力手段により入力された画像データに対して色変換処理を行う色変換処理ステップと
を備えたことを特徴とする画像処理方法。
【手続補正９】
【補正対象書類名】特許請求の範囲
【補正対象項目名】請求項９
【補正方法】変更
【補正の内容】
【請求項９】
予め定めた複数の解像度情報から１つの解像度情報を入力し、予め定めた複数の階調情報から１つの階調情報を入力し、画像データを入力するための入力手段により、解像度情報と階調情報が入力されたとき、特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定ステップと、
設定された色変換モードに対応する色変換テーブルを用いて、前記入力手段により入力された画像データに対して色変換処理を行う色変換処理ステップと
を備えたことを特徴とする画像処理方法。
【手続補正１０】
【補正対象書類名】特許請求の範囲
【補正対象項目名】請求項１１
【補正方法】変更
【補正の内容】
【請求項１１】
請求項１０に記載のプログラムを記憶したことを特徴とするコンピュータにより読み取り可能な記憶媒体。
【手続補正１１】
【補正対象書類名】明細書
【補正対象項目名】００１０
【補正方法】変更
【補正の内容】
【００１０】
請求項１の発明は、ホストコンピュータと画像処理装置とを有する画像処理システムにおいて、前記ホストコンピュータは、予め定めた複数の解像度情報から１つの解像度情報を入力するための入力手段を備え、前記画像処理装置は、特色を含まない色変換を行うための第１色変換モードと、特色を含む色変換を行うための第２色変換モードのうちの、前記入力手段により入力された解像度情報に基づいて色変換モードを設定する設定手段と、該設定手段により設定された色変換モードに対応する色変換テーブルを用いて、前記ホストコンピュータからの画像データに対して色変換処理を行う色変換処理手段とを備えたことを特徴とする。
【手続補正１２】
【補正対象書類名】明細書
【補正対象項目名】００１１
【補正方法】変更
【補正の内容】
【００１１】
請求項２の発明は、ホストコンピュータと画像処理装置とを有する画像処理システムにおいて、前記ホストコンピュータは、予め定めた複数の階調情報から１つの階調情報を入力するための入力手段を備え、前記画像処理装置は、特色を含まない色変換を行うための第１色変換モードと、特色を含む色変換を行うための第２色変換モードのうちの、前記入力手段により入力された階調情報に基づいて色変換モードを設定する設定手段と、該設定手段により設定された色変換モードに対応する色変換テーブルを用いて、前記ホストコンピュータからの画像データに対して色変換処理を行う色変換処理手段とを備えたことを特徴とする。
【手続補正１３】
【補正対象書類名】明細書
【補正対象項目名】００１２
【補正方法】変更
【補正の内容】
【００１２】
請求項３の発明は、ホストコンピュータと画像処理装置とを有する画像処理システムにおいて、前記ホストコンピュータは、予め定めた複数の解像度情報から１つの解像度情報を入力し、予め定めた複数の階調情報から１つの階調情報を入力するための入力手段を備え、前記画像処理装置は、特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定手段と、該設定手段により設定された色変換モードに対応する色変換テーブルを用いて、前記ホストコンピュータからの画像データに対して色変換処理を行う色変換処理手段とを備えたことを特徴とする。
【手続補正１４】
【補正対象書類名】明細書
【補正対象項目名】００１３
【補正方法】変更
【補正の内容】
【００１３】
請求項４の発明は、予め定めた複数の解像度情報から１つの解像度情報を入力し、画像データを入力するための入力手段と、特色を含まない色変換を行うための第１色変換モードと、特色を含む色変換を行うための第２色変換モードのうちの、前記入力手段により入力された解像度情報に基づいて色変換モードを設定する設定手段と、該設定手段により設定された色変換モードに対応する色変換テーブルを用いて、前記入力手段により入力された画像データに対して色変換処理を行う色変換処理手段とを備えたことを特徴とする。
【手続補正１５】
【補正対象書類名】明細書
【補正対象項目名】００１４
【補正方法】変更
【補正の内容】
【００１４】
請求項５の発明は、予め定めた複数の階調情報から１つの階調情報を入力し、画像データを入力するための入力手段と、特色を含まない色変換を行うための第１色変換モードと、特色を含む色変換を行うための第２色変換モードのうちの、前記入力手段により入力された階調情報に基づいて色変換モードを設定する設定手段と、該設定手段により設定された色変換モードに対応する色変換テーブルを用いて、前記入力手段により入力された画像データに対して色変換処理を行う色変換処理手段とを備えたことを特徴とする。
【手続補正１６】
【補正対象書類名】明細書
【補正対象項目名】００１５
【補正方法】変更
【補正の内容】
【００１５】
請求項６の発明は、予め定めた複数の解像度情報から１つの解像度情報を入力し、予め定めた複数の階調情報から１つの階調情報を入力し、画像データを入力するための入力手段と、特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定手段と、該設定手段により設定された色変換モードに対応する色変換テーブルを用いて、前記入力手段により入力された画像データに対して色変換処理を行う色変換処理手段とを備えたことを特徴とする。
【手続補正１７】
【補正対象書類名】明細書
【補正対象項目名】００１６
【補正方法】変更
【補正の内容】
【００１６】
請求項７の発明は、予め定めた複数の解像度情報から１つの解像度情報を入力し、画像データを入力するための入力手段により解像度情報が入力されたとき、特色を含まない色変換を行うための第１色変換モードと、特色を含む色変換を行うための第２色変換モードのうちの、前記入力手段により入力された解像度情報に基づいて色変換モードを設定する設定ステップと、設定された色変換モードに対応する色変換テーブルを用いて、前記入力手段により入力された画像データに対して色変換処理を行う色変換処理ステップとを備えたことを特徴とする。
【手続補正１８】
【補正対象書類名】明細書
【補正対象項目名】００１７
【補正方法】変更
【補正の内容】
【００１７】
請求項８の発明は、予め定めた複数の階調情報から１つの階調情報を入力し、画像データを入力するための入力手段により階調情報が入力されたとき、特色を含まない色変換を行うための第１色変換モードと、特色を含む色変換を行うための第２色変換モードのうちの、前記入力手段により入力された階調情報に基づいて色変換モードを設定する設定ステップと、設定された色変換モードに対応する色変換テーブルを用いて、前記入力手段により入力された画像データに対して色変換処理を行う色変換処理ステップとを備えたことを特徴とする。
【手続補正１９】
【補正対象書類名】明細書
【補正対象項目名】００１８
【補正方法】変更
【補正の内容】
【００１８】
請求項９の発明は、予め定めた複数の解像度情報から１つの解像度情報を入力し、予め定めた複数の階調情報から１つの階調情報を入力し、画像データを入力するための入力手段により、解像度情報と階調情報が入力されたとき、特色を含まない色変換を行うための第１色変換モードと、特色を含む色変換を行うための第２色変換モードのうちの、前記入力手段により入力された解像度情報と階調情報とを組み合わせたものに基づいて色変換モードを設定する設定ステップと、設定された色変換モードに対応する色変換テーブルを用いて、前記入力手段により入力された画像データに対して色変換処理を行う色変換処理ステップとを備えたことを特徴とする。